(57)【特許請求の範囲】
【請求項１】
第１の円管Ｐ１と第１の円管Ｐ１より管断面積が大きい第２の円管Ｐ２からなるテーパー管ＴＰである掻き取り具１０において、第１の円管Ｐ１の内側に１又は２以上の突起部材Ｐｒを管長方向に沿って設けてなり、第１の円管Ｐ１がスティック糊具ｓｔの先端口ｔｏに挿入可能に形成してなり、第２の円管Ｐ２にスティック糊具ｓｔの先端口ｔｏを挿入可能に形成してなる掻き取り具１０と、
第３の円管Ｐ３と第３の円管Ｐ３と一体の中心部材ＣＭからなる押し出し具２０において、中心部材ＣＭの外側が第１の円管Ｐ１の内側に設けられた１又は２以上の突起部材Ｐｒと嵌合するように形成してなる押し出し具２０、
との組合せであること
を特徴とする使い残したスティック糊の移し替え具１００。
【請求項２】
中心部材ＣＭの長さが第３の円管Ｐ３の長さより長く突出していることを特徴とする請求項１に記載された使い残したスティック糊の移し替え具１００。
【請求項３】
第１の円管Ｐ１の外側には係止突起ｔを設けてあり、第３の円管Ｐ３の内側に周方向に係止溝ｍを設けてなり、所定の抵抗を有して掻き取り具１０と押し出し具２０が結合してなることを特徴とする請求項１〜２の何れかに記載された使い残したスティック糊の移し替え具１００。
【請求項４】
１又は２以上の突起部材Ｐｒが３つの台形形状をした突起部材Ｐｒであることを特徴とする請求項１〜３の何れかに記載された使い残したスティック糊の移し替え具１００。
【請求項５】
第２の円管Ｐ２の外側と第３の円管Ｐ３の外側に把持しやすくするために滑り止めを形成してなることを特徴とする請求項１〜４の何れかに記載された使い残したスティック糊の移し替え具１００。
【発明の詳細な説明】
【技術分野】
【０００１】
本発明は、使い残したスティック糊の移し替え具に関する。
【背景技術】
【０００２】
従来、スティック糊具に入ったスティック糊を使い終わった場合であっても、使い残したスティック糊がスティック糊具内に残ってしまい、使い残したスティック糊を捨てないための技術が要望されていた。
【発明の開示】
【０００３】
発明者は、かかる従来技術の欠点に鑑み鋭意研究した結果、本願発明を完成させた。
【先行技術文献】
【特許文献】
【０００４】
使い残したスティック糊の移し替え具について、ＦＩ、キーワード検索を行ったところ、本件発明（使い残したスティック糊の移し替え具）に近い発明等記載文献は、発見されなかったので、特許文献の記載は省略する。
【発明の概要】
【発明が解決しようとする課題】
【０００５】
○本発明が解決しようとする第１課題
本発明が解決しようとする第１課題は、スティック糊具ｓｔに入ったスティック糊ｓＮを使い終わった場合であっても、使い残したスティック糊ｓＮがスティック糊具ｓｔ内に残ってしまい、使い残したスティック糊ｓＮを捨てないで、別のスティック糊具ｓｔに移し替えて使い残したスティック糊ｓＮを完全に使い切るようにする、使い残したスティック糊の移し替え具を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○スティック糊の移し替え具１００とは、使い残したスティック糊ｓＮを捨てないで、別のスティック糊具ｓｔに移し替えて使い残したスティック糊ｓＮを完全に使い切るようにするための、掻き取り具１０と押し出し具２０との組合せから構成される道具である。
○掻き取り具１０は、使い残したスティック糊ｓＮをスティック糊具ｓｔから掻き取るための道具である（図１（Ａ）（Ｂ）、図２（Ａ）（Ｂ））。
掻き取り具１０は、第１の円管Ｐ１と第１の円管Ｐ１より管断面積が大きい第２の円管からなるテーパー管ＴＰで構成される。
○押し出し具２０とは、掻き取り具１０によって掻き取ったスティック糊ｓＮを押し出して、新しいスティック糊具ｓｔに移し替えるための道具をいう。
押し出し具２０は、第３の円管Ｐ３と中心部材ＣＭとで構成される（図３、図４（Ａ）（Ｂ））。
○スティック糊具ｓｔとは、主として紙の接着のために用いられる固形の接着剤（固形糊）を、文房具として使用しやすいよう、細長い容器に入れ、すこしずつ繰り出して使えるようにした道具をいう（図９）。なお、英語のスティック（Ｓｔｉｃｋ）には『棒状』の他に『くっつく』『貼り付ける』という意味があり、双方の意味を掛け合わせた呼び名となっている。
○スティック糊ｓＮとは、スティック糊具用に用いられる糊をいう（図９）。
○管とは、断面が円形で，中が空になっている長さを有するものをいう。
本願発明においては、第１の円管Ｐ１、第２の円管Ｐ２、第３の円管Ｐ３、テーパー管ＴＰがあり、テーパー管ＴＰは第１の円管Ｐ１と第２の円管Ｐ２からなる。
○テーパー管ＴＰとは、断面積が入口と出口で異なる管をいう。本願発明の構成要件である掻き取り具１０が、テーパー管ＴＰである。
○第１の円管Ｐ１とは、テーパー管ＴＰを構成し、テーパー管ＴＰの入口側の円管をいう。
○第２の円管Ｐ２とは、テーパー管ＴＰを構成し、テーパー管ＴＰの出口側の円管をいう。
第２の円管Ｐ２の断面積は、第１の円管Ｐ１の断面積よりも大きい。
○第３の円管Ｐ３とは、中心部材ＣＭと共に、押し出し具２０を構成する管をいう。第３の円管Ｐ３は、中心部材ＣＭと一体になるよう構成されている。
例えば、第３の円管Ｐ３と中心部材ＣＭとが、底部Ｂｔにより一体になるよう構成されている（図４（Ａ）（Ｂ））。
○突起部材Ｐｒとは、第１の円管Ｐ１の内側に管長方向に沿って設けられた、第１の円管Ｐ１の内側方向に突き出ている部分をいう（図２（Ａ）（Ｂ））。
○中心部材ＣＭとは、第１の円管Ｐ１の内側に設けられた１又は２以上の突起部材Ｐｒとで囲まれた空間Ｓｐに有る程度のスキマを持って嵌合するように形成してなる部材をいう（図４（Ｂ））。
押し出し具２０の第３の円管Ｐ３を親指と人差し指で把持して押し込むことによって、中心部材ＣＭを第１の円管Ｐ１の内側に設けられた１又は２以上の突起部材Ｐｒとで囲まれた空間Ｓｐにピストンのように挿入可能となり、使い残したスティック糊ｓＮを新しいスティック具ｓｔに移し替えることが可能となる。
○１又は２以上とは、自然数であることをいう。本願発明の実施例では、３となっている。ただし、これに限定されるものではない。
○係止突起ｔとは、第１の円管Ｐ１に設けられた突き出た部分で弾性体からなり、係止突起ｔが係止溝ｍに嵌まり込むことによって、第１の円管Ｐ１と第３の円管Ｐ３を係止するための止め具である（図１０）。係止突起ｔが係止溝ｍに嵌まり込む際にカチッと音がするようにすることも可能である。
○係止溝ｍとは、第３の円管Ｐ３の周方向に設けられた細長いくぼみをいう（図１０）。
＜本願発明の使用方法＞
本願発明の使用方法について、図６を参照しつつ、以下説明する。
●Ｓｔｅｐ１（Ｓ１）
使い終わったスティック糊具ｓｔの先端口ｔｏに糊掻き取り具１０（第１の円管Ｐ１）を挿入し回転させながら押し込み、残っていた糊ｓＮは糊掻き取り具１０の第１の円管Ｐ１内に移動させる。
●Ｓｔｅｐ２（Ｓ２）
糊掻き取り具１０をスティック糊具ｓｔの先端口ｔｏから引き抜く。
●Ｓｔｅｐ３（Ｓ３）
別の使用中のスティック糊具ｓｔの糊部ｓＮを先端口ｔｏから１０ｍｍほど後退させておく。
●Ｓｔｅｐ４（Ｓ４）
スティック糊具ｓｔの先端口ｔｏに糊掻き取り具１０の第２の円管Ｐ２を被せる。
●Ｓｔｅｐ５（Ｓ５）
糊掻き取り具１０の第１の円管Ｐ１に押し出し具２０の第３の円管Ｐ３を押し込み、別の使用中のスティック糊具ｓｔ内に残っていた糊ｓＮを移動させる。
●Ｓｔｅｐ６（Ｓ６）
糊掻き取り具１０と押し出し具２０を使用中のスティック糊具ｓｔから取り外す。
上記ステップにより、別のスティック糊具ｓｔに移し替えて使い残したスティック糊ｓＮを完全に使い切るようにする、使い残したスティック糊の移し替え具１００を提供することができた。
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、第１の円管Ｐ１と第１の円管Ｐ１より管断面積が大きい第２の円管Ｐ２からなるテーパー管ＴＰである掻き取り具１０において、第１の円管Ｐ１の内側に１又は２以上の突起部材Ｐｒを管長方向に沿って設けてなり、第１の円管Ｐ１がスティック糊具ｓｔの先端口ｔｏに挿入可能に形成してなり、第２の円管Ｐ２にスティック糊具ｓｔの先端口ｔｏを挿入可能に形成してなる掻き取り具１０と、
第３の円管Ｐ３と第３の円管Ｐ３と一体の中心部材ＣＭからなる押し出し具２０において、中心部材ＣＭの外側が第１の円管Ｐ１の内側に設けられた１又は２以上の突起部材Ｐｒと嵌合するように形成してなる押し出し具２０、
との組合せであること
を特徴とする使い残したスティック糊の移し替え具である。
○第２の発明（請求項２に記載の発明）
上記の課題を解決するための第２の発明（請求項２に記載の発明）は、中心部材ＣＭの長さが第３の円管Ｐ３の長さより長く突出していることを特徴とする請求項１に記載された使い残したスティック糊の移し替え具である。
○第３の発明（請求項３に記載の発明）
上記の課題を解決するための第３の発明（請求項３に記載の発明）は、第１の円管Ｐ１の外側には係止突起ｔを設けてあり、第３の円管Ｐ３の内側に周方向に係止溝ｍを設けてなり、所定の抵抗を有して掻き取り具１０と押し出し具２０が結合してなることを特徴とする請求項１〜２の何れかに記載された使い残したスティック糊の移し替え具である。
○第４の発明（請求項４に記載の発明）
上記の課題を解決するための第４の発明（請求項４に記載の発明）は、１又は２以上の突起部材Ｐｒが３つの台形形状をした突起部材Ｐｒであることを特徴とする請求項１〜３の何れかに記載された使い残したスティック糊の移し替え具である。
○第５の発明（請求項５に記載の発明）
上記の課題を解決するための第５の発明（請求項５に記載の発明）は、第２の円管Ｐ２の外側と第３の円管Ｐ３の外側に把持しやすくするために滑り止めを形成してなることを特徴とする請求項１〜４の何れかに記載された使い残したスティック糊の移し替え具である。
【発明の効果】
【０００７】
本発明に係る、使い残したスティック糊の移し替え具は、上記のような特徴的構成要件から構成され、特徴的構成要件に応じた、以下のような本願発明特有の効果を奏する。
また、上記の各発明に応じた、上記のような特徴的構成要件から構成された使い残したスティック糊の移し替え具によれば、本願発明の課題を十分解消することができた。
○第１の発明の効果
第１の発明によれば、第１の円管Ｐ１と第１の円管Ｐ１より管断面積が大きい第２の円管Ｐ２からなるテーパー管ＴＰである掻き取り具１０において、第１の円管Ｐ１の内側に１又は２以上の突起部材Ｐｒを管長方向に沿って設けてなり、第１の円管Ｐ１がスティック糊具ｓｔの先端口ｔｏに挿入可能に形成してなり、第２の円管Ｐ２にスティック糊具ｓｔの先端口ｔｏを挿入可能に形成してなる掻き取り具１０と、
第３の円管Ｐ３と第３の円管Ｐ３と一体の中心部材ＣＭからなる押し出し具２０において、中心部材ＣＭの外側が第１の円管Ｐ１の内側に設けられた１又は２以上の突起部材Ｐｒと嵌合するように形成してなる押し出し具２０、
との組合せであること
という特徴的な構成要件により、本発明が解決しようとする第１課題〜第５課題を達成することができ、当業者予測不可能な顕著な効果を奏することができた。
○第２の発明の効果
第２の発明によれば、中心部材ＣＭの長さが第３の円管Ｐ３の長さより長く突出していることという特徴的な構成要件により、本発明が解決しようとする第１課題〜第５課題を達成することができ、当業者予測不可能な顕著な効果を奏することができた。
○第３の発明の効果
第３の発明によれば、第１の円管Ｐ１の外側には係止突起ｔを設けてあり、第３の円管Ｐ３の内側に周方向に係止溝ｍを設けてなり、所定の抵抗を有して掻き取り具１０と押し出し具２０が結合してなることという特徴的な構成要件により、本発明が解決しようとする第１課題〜第５課題を達成することができ、当業者予測不可能な顕著な効果を奏することができた。
○第４の発明の効果
第４の発明によれば、１又は２以上の突起部材Ｐｒが３つの台形形状をした突起部材Ｐｒであることという特徴的な構成要件により、本発明が解決しようとする第１課題〜第５課題を達成することができ、当業者予測不可能な顕著な効果を奏することができた。
○第５の発明の効果
第５の発明によれば、第２の円管Ｐ２の外側と第３の円管Ｐ３の外側に把持しやすくするために滑り止めを形成してなることという特徴的な構成要件により、本発明が解決しようとする第１課題〜第５課題を達成することができ、当業者予測不可能な顕著な効果を奏することができた。
【発明を実施するための最良の形態】
【０００８】
以下、本発明に係る、使い残したスティック糊の移し替え具に関する最良の実施形態について、図面を参照しながら説明する。
図１（Ａ）図は、本発明に係る、掻き取り具の正面図であり、図１（Ｂ）図は、本発明に係る、掻き取り具の正面断面図である。
図２（Ａ）図は、本発明に係る、掻き取り具の左側面図であり、図２（Ｂ）図は、本発明に係る、掻き取り具の右側面図である。
図３は、本発明に係る、押し出し具の正面断面図である。
図４（Ａ）図は、本発明に係る、押し出し具の左側面図であり、図４（Ｂ）図は、本発明に係る、押し出し具の右側面図である。
図５は、本願発明の使用態様を表す図である。
図６は、本願発明の使用方法の手順を表す。
図７は、本願発明に係る、押し出し具と掻き取り具の斜視図を表す図（その１）である。
図８は、本願発明に係る、押し出し具と掻き取り具の斜視図を表す図（その２）である。
図９は、スティック糊具ｓｔの部分断面図を表す図である。
図１０は、係止突起ｔと係止溝ｍの関係を表す切断部端面図である。
以下、本発明に係る、使い残したスティック糊の移し替え具について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の使い残したスティック糊の移し替え具において、第１の円管Ｐ１と第１の円管Ｐ１より管断面積が大きい第２の円管Ｐ２からなるテーパー管ＴＰである掻き取り具１０において、第１の円管Ｐ１の内側に１又は２以上の突起部材Ｐｒを管長方向に沿って設けてなり、第１の円管Ｐ１がスティック糊具ｓｔの先端口ｔｏに挿入可能に形成してなり、第２の円管Ｐ２にスティック糊具ｓｔの先端口ｔｏを挿入可能に形成してなる掻き取り具１０と、
第３の円管Ｐ３と第３の円管Ｐ３と一体の中心部材ＣＭからなる押し出し具２０において、中心部材ＣＭの外側が第１の円管Ｐ１の内側に設けられた１又は２以上の突起部材Ｐｒと嵌合するように形成してなる押し出し具２０、
との組合せであること
を特徴とする使い残したスティック糊の移し替え具が開示されている。
○第１の発明の効果
第１の発明によれば、第１の円管Ｐ１と第１の円管Ｐ１より管断面積が大きい第２の円管Ｐ２からなるテーパー管ＴＰである掻き取り具１０において、第１の円管Ｐ１の内側に１又は２以上の突起部材Ｐｒを管長方向に沿って設けてなり、第１の円管Ｐ１がスティック糊具ｓｔの先端口ｔｏに挿入可能に形成してなり、第２の円管Ｐ２にスティック糊具ｓｔの先端口ｔｏを挿入可能に形成してなる掻き取り具１０と、
第３の円管Ｐ３と第３の円管Ｐ３と一体の中心部材ＣＭからなる押し出し具２０において、中心部材ＣＭの外側が第１の円管Ｐ１の内側に設けられた１又は２以上の突起部材Ｐｒと嵌合するように形成してなる押し出し具２０、
との組合せであること
という特徴的な構成要件により、本発明が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の使い残したスティック糊の移し替え具において、中心部材ＣＭの長さが第３の円管Ｐ３の長さより長く突出していることを特徴とする請求項１に記載された使い残したスティック糊の移し替え具が開示されている。
○第２の発明の効果
第２の発明によれば、中心部材ＣＭの長さが第３の円管Ｐ３の長さより長く突出していることという特徴的な構成要件により、本発明が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の使い残したスティック糊の移し替え具において、第１の円管Ｐ１の外側には係止突起ｔを設けてあり、第３の円管Ｐ３の内側に周方向に係止溝ｍを設けてなり、所定の抵抗を有して掻き取り具１０と押し出し具２０が結合してなることを特徴とする請求項１〜２の何れかに記載された使い残したスティック糊の移し替え具が開示されている。
○第３の発明の効果
第３の発明によれば、第１の円管Ｐ１の外側には係止突起ｔを設けてあり、第３の円管Ｐ３の内側に周方向に係止溝ｍを設けてなり、所定の抵抗を有して掻き取り具１０と押し出し具２０が結合してなることという特徴的な構成要件により、本発明が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の使い残したスティック糊の移し替え具において、１又は２以上の突起部材Ｐｒが３つの台形形状をした突起部材Ｐｒであることを特徴とする請求項１〜３の何れかに記載された使い残したスティック糊の移し替え具が開示されている。
○第４の発明の効果
第４の発明によれば、１又は２以上の突起部材Ｐｒが３つの台形形状をした突起部材Ｐｒであることという特徴的な構成要件により、本発明が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の使い残したスティック糊の移し替え具において、第２の円管Ｐ２の外側と第３の円管Ｐ３の外側に把持しやすくするために滑り止めを形成してなることを特徴とする請求項１〜４の何れかに記載された使い残したスティック糊の移し替え具が開示されている。
○第５の発明の効果
第５の発明によれば、第２の円管Ｐ２の外側と第３の円管Ｐ３の外側に把持しやすくするために滑り止めを形成してなることという特徴的な構成要件により、本発明が解決しようとする第１課題〜第５課題を達成することができ、当業者予測不可能な顕著な効果を奏することができた。
【図面の簡単な説明】
【０００９】
【図１】図１（Ａ）図は、本発明に係る、掻き取り具の正面図であり、図１（Ｂ）図は、本発明に係る、掻き取り具の正面断面図である。
【図２】図２（Ａ）図は、本発明に係る、掻き取り具の左側面図であり、図２（Ｂ）図は、本発明に係る、掻き取り具の右側面図である。
【図３】図３は、本発明に係る、押し出し具の正面断面図である。
【図４】図４（Ａ）図は、本発明に係る、押し出し具の左側面図であり、図４（Ｂ）図は、本発明に係る、押し出し具の右側面図である。
【図５】図５は、本願発明の使用態様を表す図である。
【図６】図５は、本願発明の使用方法の手順を表す。
【図７】図７は、本願発明に係る、押し出し具と掻き取り具の斜視図を表す図（その１）である。
【図８】図８は、本願発明に係る、押し出し具と掻き取り具の斜視図を表す図（その２）である。
【図９】図９は、スティック糊具ｓｔの部分断面図を表す図である。
【図１０】図１０は、係止突起ｔと係止溝ｍの関係を表す切断部端面図である。
【符号の説明】
【００１０】
１００……スティック糊の移し替え具
１０……掻き取り具
２０……押し出し具
ＴＰ……テーパー管
Ｐ１……第１の円管
Ｐ２……第２の円管
Ｐ３……第３の円管
Ｐｒ……突起部材
ＣＭ……中心部材
Ｂｔ……底部
ｔ……係止突起
ｍ……係止溝
ｓｔ……スティック糊具
ｓＮ……スティック糊
【図１】
0006055512.tif 000002
【図２】
0006055512.tif 000003
【図６】
0006055512.tif 000004
【図３】
0006055512.tif 000005
【図４】
0006055512.tif 000006
【図５】
0006055512.tif 000007
【図７】
0006055512.tif 000008
【図８】
0006055512.tif 000009
【図９】
0006055512.tif 000010
【図１０】
0006055512.tif 000011